(57)【特許請求の範囲】
【請求項１】
仕上材（１）と、防振材（２）と、熱伝導体（３）とからなる床仕上材であって、
仕上材（１）の下部に金属フィラーの入ったゴム又は金属繊維を網状に固めたバネ材でできている防振材（２）が設けられ、仕上材（１）と防振材（２）と床基盤（１０）とで構成される空間に防振材（２）よりも柔軟性を有する熱伝導体（３）が配置されていることを特徴とする床仕上材。
【請求項２】
防振材（２）が間隔を開けて設けられていることを特徴とする請求項１に記載の床仕上材。
【請求項３】
防振材（２）が隣接する仕上材（１）の突き合わせ部に設けられていることを特徴とする請求項１又は２に記載の床仕上材。
【請求項４】
熱伝導体（３）が仕上材（１）と防振材（２）と床基盤（１０）とで構成される空間の７０〜１００％を占めて配置されていることを特徴とする請求項１〜３のいずれか１項に記載の床仕上材。
【発明の詳細な説明】
【０００１】
【発明の属する技術分野】
本発明は、床基盤上に敷き詰められる床仕上材に関するものであり、特に、床暖房用の直張り床仕上材として好適なものである。
【０００２】
【従来の技術】
近年、集合住宅やオフィスビル等において、床暖房システムを採用することが多くなってきている。ここで、床暖房用の床構造は、例えばコンクリートの床基盤内に温水パイプを通し、外部の給湯機器と接続して温水を循環させ、温水の熱を木質床の表面に伝えるようになっている。従って、仕上材と温水パイプの距離が近いほど伝熱効率がよい。
【０００３】
【発明が解決しようとする課題】
しかしながら、床基盤と仕上材の間に何も介在させず、コンクリート上に直接木質床を敷き詰めることは、階下に伝わる足音等の騒音や歩行感の悪さ及び転倒時の安全性といった問題がある。そのため、仕上材の下部に防振材を設けるのが通常であり、それが床暖房システムでは、伝熱効率を悪化させることになっていた。
【０００４】
そこで本発明は、相反する特性の両立を図り、騒音を防止し、良好な歩行感と安全性を保持しつつ、床暖房用の床構造に適用した場合であっても伝熱効率のよい床仕上材を提供することを目的とするものである。
【０００５】
【課題を解決するための手段】
本発明は、以上の課題を解決するためになされたものであって、その要旨は、仕上材と、防振材と、熱伝導体とからなる床仕上材であって、仕上材の下部に金属フィラーの入ったゴム又は金属繊維を網状に固めたバネ材でできている防振材が設けられ、仕上材と防振材と床基盤とで構成される空間に防振材よりも柔軟性を有する熱伝導体が配置されている床仕上材に係るものである。
【０００６】
そして好ましくは、防振材が間隔を開けて設けられ、更に好ましくは、防振材が隣接する仕上材の突き合わせ部に設けられている床仕上材である。
【０００７】
一方、熱伝導体は、仕上材と防振材と床基盤とで構成される空間の略全面、具体的には７０〜１００％を占めて配置されていることが好ましい。
【０００８】
【発明の実施の形態】
本発明の床仕上材は、仕上材と、防振材と、熱伝導体とからなるものである。ここで、仕上材としては、使い勝手や安全性等の観点から、四周に本実加工を施した木製フローリング材が好適であるが、何らこれに限定されるものではなく、タイルや石材等の窯業系仕上材も使用できる。また、合板、ＭＤＦ（中質繊維板）、ＨＤＦ（硬質繊維板）、ＯＳＢ（配向性ストランドボード）、ＬＶＬ（単板積層材）、樹脂製ボード等の基材に、薄物化粧木材、軟質樹脂シート仕上材、窯業系の仕上材等を接着等で複合化したもの等も使用できる。
【０００９】
仕上材の厚さは、材質や寸法等によっても異なるが、５〜６０ｍｍが適当である。５ｍｍより薄いと強度的に問題があり、６０ｍｍを越えると柔軟性が損なわれ、歩行感が悪化するからである。
【００１０】
防振材は、仕上材の下部に設けられ、床基盤上に固定されるものである。従って、仕上材と床基盤との間に防振材が介在することから、階下に伝わる足音等の騒音が大幅に低減され、良好な歩行感と安全性が保たれる。なお、防振材は、予め仕上材に接着加工等で取り付けておくことができるが、現場加工にて先に床基盤上に接着又は釘打ち、接着と釘の併用等で固定し、その後、防振材の上に仕上材を固定することもできる。
【００１１】
また、防振材は、個々の仕上材の寸法や剛性等に応じた適当な間隔で設置すればよいが、仕上材全体又は部分的に一定間隔（規則的な間隔）で配置することが均質な歩行感が得られる等の点で好ましい。そして、隣接する仕上材の突き合わせ部に設けることにより、一層効率的な配置が可能となる。例えば、四周に本実加工を施した木製フローリング材を仕上材に使用した場合、相互に突き合わせられた仕上材の間に配置すれば、本実加工部分の強度を確保しつつ、防振効果も得られる。なお、防振材の設置方向は、仕上材の長手方向であっても幅方向であってもよく、いずれの方向であっても、本実加工部分のみで分断せずに連続したものにすることもできる。
【００１２】
防振材は材質的にゴムが好適であるが、金属バネ等であってもよい。ゴムの場合、防振材自体の熱伝導性を向上させ、床暖房用の温水パイプから仕上材に良好に熱が伝わるように、金属フィラーを入れることが好ましい。一方、金属バネの場合も、金属繊維を網状に固めたバネ材とすることで、伝熱効率がよくなる。
【００１３】
防振材の厚さは、材質や寸法等によっても異なるが、２〜１５ｍｍが適当であり、中でも４〜５ｍｍが好ましい。２ｍｍより薄いと防振性及び遮音性が不十分となり、１５ｍｍを越えても防振性や遮音性の向上が見込めないばかりでなく、経済性、施工性が悪化してしまうからである。
【００１４】
次に、熱伝導体は、仕上材と床基盤との間に防振材が介在する床仕上材にあって、床暖房システムにおける温水パイプからの熱を効率的に仕上材に伝える作用をするものである。そのため、仕上材と防振材と床基盤とで構成される空間に配置して床基盤と仕上材とを熱的に接続する。そして特に、空間の略全面、具体的には７０〜１００％を占めるように配置して空間を埋め、床基盤と仕上材との接触面積をできるだけ増やすことが伝熱上効果的である。
【００１５】
熱伝導体としては、アルミ箔、アルミ板材、スチール薄板、銅薄板、熱伝導性に優れる樹脂板等が使用できる。また、形状的には、これらの薄板を筒状にしたもの、比較的小型の筒状チューブを複数並べたもの、薄板を鉛直方向のバネ定数が極小になるように加工したハニカム構造物、スチールウール等の金属製網状体等が考えられる。
【００１６】
但し、十分な遮音性や良好な歩行感及び安全性の確保を考慮すると、熱伝導体が防振材の機能を阻害せず、端部の防振材を支点として仕上材が鉛直方向に変形できるようにし、床仕上材の板としての弾力性が損なわれないように、防振材よりも柔軟性を有する材料や構造のものを熱伝導体とすることが好ましい。
【００１７】
なお、本発明の床仕上材は、経済性や熱伝導性等から、床基盤上に直接的に仕上材を敷き詰める直張り床に適用することが最も効果的であるが、何ら直張り床に限定されるものではない。即ち、床基盤内や床基盤上に温水パイプを通した床暖房システムにあって、支持脚に防振材を取り付けたいわゆる二重床にも適用できるものである。
【００１８】
【実施例】
以下、本発明の好ましい実施の形態の具体例を図面に基づいて説明する。図１は、本発明の床仕上材の第１実施例を示す図であり、図１（Ａ）はその断面図、図１（Ｂ）はその平面図である。図１に示す第１実施例の床仕上材は、暖房用温水パイプ１１が埋設されたコンクリート床基盤１０の上に敷き詰められた床暖房用の直張り床仕上材であり、経済性及び熱伝導性に優れている。
【００１９】
床仕上材は、図１（Ａ）に示すように、仕上材１と、防振材２と、熱伝導体３とからなっている。仕上材１は、四周に本実加工を施した単位ユニット１Ａを相互に突き合わせて構成した、適度な弾性を有する木製フローリング材であり、各単位ユニット１Ａは、厚さが１２ｍｍ、図１（Ｂ）の上下方向の長さが１２５ｍｍ、左右方向の長さが９００ｍｍとなっている。
【００２０】
また、仕上材１を構成する各単位ユニット１Ａの左右方向両端部の下部には予め防振材２が接着加工されている。防振材２は、金属フィラーが入った厚さ５ｍｍのゴムであり、図１（Ｂ）に示すように、仕上材１における単位ユニット１Ａの左右方向突き合わせ部にまたがって設けられている。従って、防振材２のゴムが仕上材１の単位ユニット１Ａの左右方向端部を支え、床基盤１０と仕上材１の間を防振及び遮音すると共に、金属フィラーが床基盤１０から仕上材１に熱を伝える。
【００２１】
仕上材１と防振材２と床基盤１０とで構成される空間の全面には、スチールウールの熱伝導体３が配置されている。従って、仕上材１の下面と床基盤１０の上面とは防振材２と熱伝導体３とを介して全面的に接触しており、温水パイプ１１によって温められた床基盤１０の熱は、特に熱伝導体３を通って、仕上材１に効率的に伝わることになる。
【００２２】
図２は、本発明の床仕上材の第２実施例を示す図であり、図２（Ａ）はその断面図、図２（Ｂ）はその平面図である。図２に示す第２実施例の床仕上材は、第１実施例に対し、防振材２の設置範囲を単位ユニット１Ａの突き合わせ部のみで分断せずに図２（Ｂ）の上下方向に連続させたものである。
【００２３】
従って、床仕上材１を構成する単位ユニット１Ａにおいて、本実加工部分と中間部分の両方に防振材が配置されることになり、特に単位ユニット１Ａが左右方向に長く、剛性が低い場合の対応として有効である。
【００２４】
図３は、本発明の床仕上材の第３実施例を示す平面図である。図３に示す第３実施例の床仕上材は、防振材２を単位ユニット１Ａの突き合わせ部に設置しているが、第１及び第２実施例と異なり、図３の左右方向に連続させたものである。第３実施例でも第１及び第２実施例と同様に、優れた防振、遮音性能と伝熱性能を有する。
【００２５】
図４は、熱伝導体３の形状例を示す斜視図であり、図４（Ａ）は筒状の金属薄膜加工品、図４（Ｂ）は比較的小型の筒状金属薄膜加工品を３本並べたもの、図４（Ｃ）は２枚の金属シートを熱伝導リブで連結したもの、図４（Ｄ）は金属薄板ハニカム材、図４（Ｅ）はスチールウール等の金属網状体を示すものである。
【００２６】
【発明の効果】
本発明の床仕上材は、仕上材と、防振材と、熱伝導体とからなる床仕上材であって、仕上材の下部に金属フィラーの入ったゴム又は金属繊維を網状に固めたバネ材でできている防振材が設けられ、仕上材と防振材と床基盤とで構成される空間に防振材よりも柔軟性を有する熱伝導体が配置されているので、騒音が防止され、良好な歩行感と安全性が保持されるだけでなく、伝熱効率がよい床仕上材を得ることができる。従って、床暖房用の直張り床仕上材として特に好適である。
【図面の簡単な説明】
【図１】図１は、本発明の床仕上材の第１実施例を示す断面図及び平面図である。
【図２】図２は、本発明の床仕上材の第２実施例を示す断面図及び平面図である。
【図３】図３は、本発明の床仕上材の第３実施例を示す平面図である。
【図４】図４は、本発明の床仕上材に使用する熱伝導体の形状例を示す斜視図である。
【符号の説明】
１‥仕上材
１Ａ‥単位ユニット
２‥防振材
３‥熱伝導材
１０‥床基盤
１１‥温水パイプ
【図１】
0003924161.tif 000002
【図２】
0003924161.tif 000003
【図３】
0003924161.tif 000004
【図４】
0003924161.tif 000005